(57)【特許請求の範囲】
【請求項１】
ハウジングと;
上記ハウジングの内部に上下移動されるように装着されており、外側に第１コイル部材が装着された第１ブレードと；
上記第１ブレード内部に水平移動されるように装着されており、外側に第２コイル部材が装着された第２ブレードと；
上記第１ブレードの内側面と上記第２ブレードの外側面との間に配置されるマグネットと；
外側が上記ハウジングに固定され、内側が上記第１ブレードに装着され、上記第１ブレードを上下方向に弾性支持する第１弾性部材と；をさらに含むことによって構成され、
上記第１弾性部材は、
外部の電源と接続され、上記第１コイル部材と上記第２コイル部材に電力を伝達する導体層と；
上記導体層を包み込むような絶縁層と；
一端が上記第１ブレードに装着され他端が上記第２ブレードに装着されて上記第２ブレードを水平方向に弾性支持する第２弾性部材と；を含んでなり、
上記第１コイル部材は上記第１コイル部材の端部が上記第１弾性部材の導体層に電気的に連結されて外部電源の供給を受け、
上記第２コイル部材は上記第２コイル部材の端部が上記第２弾性部材の他端に電気的に連結され、上記第２弾性部材の一端が上記第１弾性部材の上記導体層に電気的に連結されて外部電源の供給を受けることを特徴とする振れ補正機能を具備した映像撮影装置。
【請求項２】
上記ハウジングの下側に装着されるベースを更に含んでなり、
上記マグネットは一面が上記第１コイル部材の方向に配置され他面が上記第２コイル部材の方向に配置されて上記ベースに固着され、
上記第１コイル部材は上記第１ブレードを中心に巻き取られ、
上記第２コイル部材は上記第１コイル部材の巻取り方向と直交する方向に上記第２ブレードの側面に巻き取られることを特徴とする請求項１に記載の振れ補正機能を具備した映像撮影装置。
【請求項３】
上記第１ブレードの上側には上記第１ブレードの上下移動時に上記マグネットが挿通する貫通孔が形成されることを特徴とする請求項１又は２に記載の振れ補正機能を具備した映像撮影装置。
【請求項４】
上記マグネットに接するヨーク部材を更に含んでなり、
上記マグネットは上記ヨーク部材の上面に接する第１マグネットと、上記ヨーク部材の下面に接する第２マグネットとを含んでなり、
上記第１マグネットと上記第２マグネットの極性は各々上下方向に形成されて上記ヨーク部材を中心に極性が上下対称となるように配置され、
上記ヨーク部材は一面が上記第１コイル部材の方向に配置され、他面が上記第２コイル部材の方向に配置されることを特徴とする請求項１又は２に記載の振れ補正機能を具備した映像撮影装置。
【請求項５】
上記ヨーク部材には上記第２コイル部材の方向に突出して上記第２コイル部材の中心部に挿入される磁気誘導突起が形成され、上記磁気誘導突起は上記マグネットの磁場を上記第２コイル部材の方向へ誘導することを特徴とする請求項４に記載の振れ補正機能を具備した映像撮影装置。
【発明の詳細な説明】
【技術分野】
【０００１】
本発明は、振れ補正機能を備えた映像撮影装置に関し、特に映像撮影装置の振れを感知してそれを補正する方向にレンズを遊動させることによって、被写体の像を鮮明に撮影できるようにする振れ補正機能を備えた映像撮影装置に関する。
【背景技術】
【０００２】
最近、携帯電話に代表される通信端末機をはじめとする小型電子機器には映像を撮影するための小型の映像撮影装置が装着されている。これら映像撮影装置は小型で構造が簡単であるとの特徴がある。
【０００３】
このような映像撮影装置の構成には、複数のレンズからなるレンズ群、レンズ群を通過した光信号を電気的な信号に変換する撮像素子などが含まれる。
ところで、映像撮影装置の付着された電子機器を把持する使用者の手が振れたり、他の外部要因によって電子機器に振動が伝えられたりすれば、映像撮影装置に振動が伝えられて被写体の映像が乱れる現象が発生する。
【０００４】
このような問題のため、鮮明な画質の映像を撮影するためには支持脚を使用するべきであるが、これは携帯しにくい短所があって通常は使われていない。
かかることから、一般的な電子機器用映像撮影装置は振れによる画質低下の問題を避けることができなかった。
【発明の概要】
【発明が解決しようとする課題】
【０００５】
本発明は、上述した問題点を解決するために案出されたものであって、その目的は、被写体の撮影時における振れを感知してそれを補正する方向にレンズを移動させて被写体を鮮明に撮像することにある。
【課題を解決するための手段】
【０００６】
上記目的を達成するための本発明は、ハウジング；上記ハウジングの内部に上下移動するように装着されて外側に第１コイル部材が装着された第１ブレード；上記第１ブレード内部に水平移動自在に装着されて外側に第２コイル部材が装着された第２ブレード；及び、上記第１ブレードの内側面と上記第２ブレードの外側面との間に配置されるマグネット；を更に含んでなり、上記第１コイル部材への電源印加時に発生する第１電磁場と上記マグネットで発生する磁場との相互作用により上記第１ブレードと第２ブレードは共に上下移動し、上記第２コイル部材への電源印加時に発生する第２電磁場と上記マグネットで発生する磁場との相互作用により上記第２ブレードは上記第１ブレードに対して独立して水平移動する、振れ補正機能を具備した映像撮影装置を提供する。
【０００７】
上記ハウジングの下側に装着されるベースを更に含んでなり、上記マグネットは一面が上記第１コイル部材の方向に配置され、他面が上記第２コイル部材の方向に配置されて上記ベースに固着され、上記第１コイル部材は上記第１ブレードを中心に巻き取られ、上記第２コイル部材は上記第１コイル部材の巻取り方向と直交する方向に上記第２ブレードの側面に巻き取られる。
【０００８】
外側が上記ハウジングに固定され内側が上記第１ブレードに装着されて上記第１ブレードを上下方向に弾性支持する第１弾性部材；を更に含んでなり、上記第１弾性部材は、外部電源に連結されて上記第１コイル部材及び上記第２コイル部材へ電源を伝達する導体層と；上記導体層を被覆する絶縁層と；を含んでなる。
【０００９】
一端が上記第１ブレードに装着され他端が上記第２ブレードに装着されて上記第２ブレードを水平方向に弾性支持する第２弾性部材；を更に含んでなり、上記第１コイル部材はこの第１コイル部材の端部が上記第１弾性部材の導体層と電気的に連結されて外部電源の供給を受け、上記第２コイル部材は上記第２コイル部材の端部が上記第２弾性部材の他端と電気的に連結され、上記第２弾性部材の一端が上記第１弾性部材の上記導体層と電気的に連結されて外部電源の供給を受ける。
【００１０】
上記第１ブレードの上側には上記第１ブレードの上下移動時に上記マグネットが挿通する貫通孔が形成される。
【００１１】
上記マグネットに接するヨーク部材を更に含んでなり、上記マグネットは上記ヨーク部材の上面に接する第１マグネットと、上記ヨーク部材の下面に接する第２マグネットとを含んでなり、上記第１マグネットと上記第２マグネットの極性は各々上下方向に形成されて上記ヨーク部材を中心に極性が上下対称となるように配置され、上記ヨーク部材は一面が上記第１コイル部材の方向に配置されて他面が上記第２コイル部材の方向に配置される。
【００１２】
上記ヨーク部材には、上記第２コイル部材の方向に突出して上記第２コイル部材の中心部に挿入される磁気誘導突起が形成され、上記磁気誘導突起は上記マグネットの磁場を上記第２コイル部材の方向へ誘導する。
【発明の効果】
【００１３】
被写体の撮影時に振れが発生した時、振れを補正する方向にレンズを移動させることにより、被写体の像を鮮明に撮影できるとの効果がある。
【図面の簡単な説明】
【００１４】
【図１】本発明の実施例による映像撮影装置の斜視図である。
【図２】図１に示す映像撮影装置の一方向分解斜視図である。
【図３】図１に示す映像撮影装置の他方向分解斜視図である。
【図４】図１のＢ−Ｂから見た映像撮影装置の断面図である。
【図５】図４の動作状態を示す断面図である。
【図６】図４の動作状態を示す断面図である。
【図７】本発明の実施例による映像撮影装置の第１弾性部材の拡大斜視図である。
【発明を実施するための形態】
【００１５】
図１は本発明の実施例による映像撮影装置の斜視図、図２は図１に示す映像撮影装置の一方向分解斜視図、図３は図１に示す映像撮影装置の他方向分解斜視図である。図４は図１のＢ−Ｂから見た映像撮影装置の断面図である。
【００１６】
図１乃至図４に示されているように、ハウジング３１００、第１ブレード３２００、第１コイル部材３２５０、第２ブレード３３００、第２コイル部材３３５０、ベース３４００、マグネット３５００、ヨーク部材３６００、第１弾性部材３７００、及び第２弾性部材３８００を含んでなる。
【００１７】
上記ハウジング３１００は六面体形状で上下端が開放形成されて、内部に上記第１ブレード３２００が上下移動するように装着される。また上記ハウジング３１００の上側には上記第１弾性部材３７００と上記カバー３１５０が装着され、下側には上記ベース３４００が固着される。上記カバー３１５０は四角形状で中心部が上下開放形成されてレンズの入射光が通過するようにする。
【００１８】
上記第１ブレード３２００は六面体形状で下端が開放形成されて、上端にはレンズ（図示省略）の入射光が通過する開口孔３２１０が形成され、外側には上記第１コイル部材３２５０が装着される。
【００１９】
上記第１コイル部材３２５０は内部に電流が流れる電線で、上記第１ブレード３２００の外側面を中心に巻き取られる。この時、上記第１ブレード３２００の外側角部は面取り処理されて上記第１コイル部材３２５０の破損が防止される。また上記第１ブレード３２００の内部には上記第２弾性部材３８００により上記第２ブレード３３００が水平方向へ移動するように装着される。
【００２０】
上記第２ブレード３３００は六面体形状で中心部が上下開放形成されて内部に上記レンズが挿入配置される。また上記第２ブレード３３００の側面には上記第２コイル部材３３５０が装着される。上記第２コイル部材３３５０は内部に電流が流れる細い電線で上記第１コイル部材３２５０の巻取り方向と直交する方向に巻き取られ、丸い中孔形に形成される。このような上記第２コイル部材３３５０は上記第２ブレード３３００の側面に計４つ装着されて、上記レンズの光軸を中心に互いに対称となるように配置される。
【００２１】
一方、上記ベース３４００は上記ハウジング３１００の下側に装着され、四角形状で中心部が上下開放形成される。このような上記ベース３４００の上側には上記マグネット３５００と上記ヨーク部材３６００が固着される。上記マグネット３５００は六面体形状で多数個からなり、上記第１ブレード３２００を中心に互いに対称となるように配置される。
【００２２】
また上記マグネット３５００は上記第１ブレード３２００と上記第２ブレード３３００との間に装着され、一面が上記第１コイル部材３２５０の方向に配置されて他面が上記第２コイル部材３３５０の方向に配置される。
【００２３】
すなわち、図４に示されているように、上記マグネット３５００の一面は上記第１ブレード３２００の内側面と対向して配置されて上記第１ブレード３２００の外側面に装着された上記第１コイル部材３２５０に隣接し、上記マグネット３５００の他面は上記第２コイル部材３３５０と対向して配置されて上記第２コイル部材３３５０に隣接する。
【００２４】
このように上記マグネット３５００は、一面が上記第１コイル部材３２５０方向に配置され他面が上記第２コイル部材３３５０方向に配置されて上記ベース３４００に固着されることによって、上記第１コイル部材３２５０と上記マグネット３５００との間隔が縮小され全体的な構造及びサイズを簡素化させる効果がある。
【００２５】
また上記マグネット３５００は、上記第１ブレード３２００の側面に各々２個ずつ計８つからなり、後述するように上記ヨーク部材３６００の上面に接する第１マグネット３５１０と上記ヨーク部材３６００の下面に接する第２マグネット３５２０とでなされる。上記第１マグネット３５１０と上記第２マグネット３５２０の極性は各々上下方向に形成され、上記ヨーク部材３６００を中心に極性が上下対称となるように配置される。
【００２６】
すなわち、上記ヨーク部材３６００の上面に接する上記第１マグネット３５１０の極性が上方向にＳ極、下方向にＮ極が配置され、上記ヨーク部材３６００の下面に接する上記第２マグネット３５２０の極性は上方向にＮ極、下方向にＳ極が配置される。
【００２７】
上記ヨーク部材３６００は六面体形状で磁性体材質からなり、上面が上記第１マグネット３５１０に接し下面が上記第２マグネット３５２０に接して上記ベース３４００の上側に固着される。また上記ヨーク部材３６００は上記第１ブレード３２００の側面に各々１つずつ計４つからなる。
【００２８】
このような上記ヨーク部材３６００は、図４に示されているように、上記第１ブレード３２００と上記第２ブレード３３００との間に配置され、一面が上記第１コイル部材３２５０方向に配置されて上記第１コイル部材３２５０に隣接し、他面が上記第２コイル部材３３５０方向に配置されて上記第２コイル部材３３５０に隣接する。
【００２９】
このように上記マグネット３５００は上記ヨーク部材３６００を中心に極性が上下対称となるように配置され、上記ヨーク部材３６００は一面が上記第１コイル部材３２５０方向に配置されて他面が上記第２コイル部材３３５０方向に配置されることによって、全体的な構造を簡素化させ、上記マグネット３５００の磁場が上記第１コイル部材３２５０及び上記第２コイル部材３３５０に十分に伝えられて上記第１ブレード３２００及び上記第２ブレード３３００の移動が円滑になされるようにする。
【００３０】
また上記ヨーク部材３６００には上記第２コイル部材３３５０方向に突出して上記第２コイル部材３３５０の中心部に挿入される磁気誘導突起３６１０が形成される。
【００３１】
上記磁気誘導突起３６１０は四角形状で上記ヨーク部材３６００の幅よりも小さく形成され、上記第２コイル部材３３５０の中心部に挿入されて上記第２コイル部材３３５０の内側面に隣接する。このような上記磁気誘導突起３６１０は上記ヨーク部材３６００の上下側に配置された上記マグネット３５００で発生する磁場を上記第２コイル部材３３５０方向へ誘導するように働く。
【００３２】
このように上記ヨーク部材３６００に上記第２コイル部材３３５０方向に突出して上記第２コイル部材３３５０の中心部に挿入される磁気誘導突起３６１０を形成することで、上記マグネット３５００の磁場の上記第２コイル部材３３５０方向への誘導を容易にする。
【００３３】
また上記ヨーク部材３６００の上面に接する上記第１マグネット３５１０は上記第１ブレード３２００の上側面とほぼ同じ高さで配置されて上記第１ブレード３２００の上側に形成された貫通孔３２２０に挿入される。
【００３４】
上記貫通孔３２２０は四角形状で上記マグネット３５００の幅より大きく形成されて、上記開口孔３２１０を中心に対称となるように配置されて、計４つが形成される。
【００３５】
このように上記第１ブレード３２００の上側面に上記第１ブレード３２００の上下移動時に上記マグネット３５００が挿通する貫通孔３２２０を形成することによって、上記第１ブレード３２００のサイズを減らし、上記マグネット３５００を回避して上記第１ブレード３２００の上下移動を円滑にする効果がある。
【００３６】
一方、上記第２ブレード３３００には第３弾性部材３７９０及び上記第２弾性部材３８００が装着される。上記第３弾性部材３７９０は四角形の薄板からなり、外側が上記ベース３４００に固着され、内側が上記第２ブレード３３００の下端に装着されて上記第２ブレード３３００を上下方向及び水平方向に弾性支持する。
【００３７】
上記第２弾性部材３８００は上下に長く形成されたワイヤースプリングからなり、一端が上記第１ブレード３２００の上端に結合固定され、他端が上記第２ブレード３３００の下端に結合固定されて上記第２ブレード３３００を上記第１ブレード３２００の内部から水平方向へ移動するように弾性支持する。また上記第２弾性部材３８００は電気が通じる材質からなって上記第２コイル部材３３５０の端部と電気的に連結される。このような上記第２弾性部材３８００は上記第２ブレード３３００の下端に計４つ装着されて、上記レンズの光軸を中心に互いに対称となるように配置される。また上記第１ブレード３２００には上記第１弾性部材３７００が装着される。
【００３８】
上記第１弾性部材３７００は四角形状の薄板からなり、外側が上記ハウジング３１００の上側に結合固定され内側が上記第１ブレード３２００の上側に結合固定される。このような上記第１弾性部材３７００の外側と内側は互いに弾性的に連結されて上下方向に収縮弛緩が可能であり、上記第１ブレード３２００を上記ハウジング３１００の内部で上下移動するように弾性支持する。
【００３９】
また上記第１弾性部材３７００の側面には上記ハウジング３１００の側面に折り曲げられ外部の電源に連結される端子部３７５０が形成され、外部電源に連結されて上記第１コイル部材３２５０及び上記第２コイル部材３３５０に電源を供給する機能を遂行する。
【００４０】
具体的に、上記第１弾性部材３７００は、外部電源に連結されて上記第１コイル部材３２５０及び上記第２コイル部材３３５０に電源を伝達する導体層（図示省略）と、上記導体層を覆う絶縁層とでなされる。上記導体層は上記第１コイル部材３２５０または上記第２弾性部材３８００に電源を伝達するための多数の電気回路からなって外部電源と電気的に連結される。すなわち、上記導体層は、上記第１コイル部材３２５０の端部と直接連結されて外部電源を上記第１コイル部材３２５０に伝達し、上記第２弾性部材３８００の一端と電気的に連結されて上記第２弾性部材３８００の他端に連結された上記第２コイル部材３３５０に電源を供給する。
【００４１】
具体的には、上記第1弾性部材３７００は、外部の電源と接続され、上記第１コイル部材３２５０と、上記第２コイル部材３３５０に電力を伝達する導体層（図になし）と、上記導体層を包み込むような絶縁層とで構成される。すなわち、上記第１弾性部材３７００は、一般的なＦＰＣＢ（Flexible Printed Circuit board）であり、上記導体層は、図７に示すように、上記第２弾性部材３８００の上部と半田付けで接続された銅箔パッド３７１０と外部電源（図になし）と接続されている銅箔パッド３７２０と、上記銅箔パッド３７１０，３７２０を相互に接続する回路（図になし）とで構成されるものであり、上記絶縁層は、上記回路を覆うカバーレイ（coverlay）などを意味する。ここでは４つの上記銅箔パッド３７１０のうち２つは、上記第１コイル部材３２５０の電線が直接ハンダ付け固定されて電気的に接続され、残りの２つは、上記第２弾性部材３８００を介して上記第２コイル部材３３５０と電気的に接続されて電源を供給することになる。
【００４２】
このように上記第２ブレード３３００を水平方向に弾性支持する上記第２弾性部材３８００の一端が上記導体層と電気的に連結され、他端が上記第２コイル部材３３５０の端部と電気的に連結されて上記第２コイル部材３３５０に外部電源を供給することによって、電源を供給する機能と上記第２ブレード３３００を弾性支持する機能とを成し遂げ全体的な部品点数を減少させて構造を簡素化させ得る。
【００４３】
上記絶縁層は電気が通じない材質からなり、上記導体層を覆いかぶせて上記導体層の破損を防止し、外部の電気的ノイズを遮断する。また上記絶縁層は軟性材質からなって撓み易く弾性力を持つ。
【００４４】
このように上記第１ブレード３２００に装着されて上記第１ブレード３２００を上下に弾性支持する上記第１弾性部材３７００は、外部の電源に連結されて上記第１コイル部材３２５０及び上記第２コイル部材３３５０に電源を伝達する導体層と、上記導体層を覆いかぶせる絶縁層とでなされることによって、電源を供給する機能と上記第１ブレード３２００を弾性支持する機能とを両方とも遂行して全体的な部品点数を減少させて構造を簡素化させる。
【００４５】
上記のような構成でなされた実施例の動作状態を説明する。
【００４６】
図４は図１のＢ−Ｂから見た映像撮影装置の断面図で、図５及び図６は図４の動作状態を見せた断面図である。
【００４７】
図４に示されているように、上記第１コイル部材３２５０と上記第２コイル部材３３５０に電源が印加される前には上記第１ブレード３２００が上記第１弾性部材３７００と上記第３弾性部材３７９０により上記ベース３４００の上側に浮き上がった状態で配置され、上記第１弾性部材３７００は水平状態を維持する。
【００４８】
また上記第２ブレード３３００は上記第１ブレード３２００の内部で上記第２弾性部材３８００により上記ベース３４００の上側に浮き上がった状態で配置される。また上記第１コイル部材３２５０と上記マグネット３５００の外側面との間の間隔が上記レンズの光軸を基準に左右対称を成し、上記マグネット３５００の内側面と上記第２コイル部材３３５０との間の間隔が上記レンズの光軸を基準に左右対称を成す。
【００４９】
図５に示されているように、上記第１コイル部材３２５０に電源が印加されれば上記第１コイル部材３２５０で発生する第１電磁場と上記マグネット３５００で発生する磁場との相互作用により上記第１ブレード３２００は上昇する。上記第１ブレード３２００が上昇するにつれて上記第１ブレード３２００の上側に装着された上記第１弾性部材３７００は内側が上記第１ブレード３２００と一緒に上昇しながら上方向に弛緩する。
【００５０】
また上記第１弾性部材３７００の内側に連結され、上記第１ブレード３２００内部に上記第２弾性部材３８００により連結された上記第２ブレード３３００も、上記第１弾性部材３７００の内側の上昇と共に上昇する。この時、図５に示されているように、上記第２コイル部材３３５０が装着された上記第２ブレード３３００は左右移動無しに上下方向にのみ移動するため、上記第２コイル部材３３５０と上記マグネット３５００の内側面との間の間隔は変わらない。
【００５１】
したがって、上記第２ブレード３３００の水平移動時に上記マグネット３５００の磁場が上記第２ブレード３３００の両側に各々配置された上記第２コイル部材３３５０に全て均一に伝導され上記第２ブレード３３００の水平移動が円滑になされるようにする。また上記第１コイル部材３２５０は印加される電源の方向を反対にすれば下方向に移動することもできる。
【００５２】
一方、上記第１ブレード３２００が上昇した状態で上記第２コイル部材３３５０に電源を印加すれば、図６に示されているように、上記第２ブレード３３００が上記第１ブレード３２００の内部で上記第１ブレード３２００に対して独立して左側に水平移動する。
【００５３】
上記第２ブレード３３００が左側に移動するにつれて上記第２弾性部材３８００は左側に変形され、上記第２弾性部材３８００は弾性復元力により上記第２ブレード３３００を右側に弾性支持する。上記第２ブレード３３００は上記第２コイル部材３３５０に印加する電流の方向によって右側または前後方向に移動可能である。
【００５４】
このように上記マグネット３５００を上記第１ブレード３２００の内側面と上記第２ブレード３３００の外側面との間に配置し、上記第１ブレード３２００と上記第２ブレード３３００を共に上下移動させ、上記第２ブレード３３００を上記第１ブレード３２００とは独立して水平移動させることによって、上記第１ブレード３２００の上下移動時に上記第２ブレード３３００に装着された第２コイル部材３３５０と上記マグネット３５００との間隔が一定に維持され、上記マグネット３５００の磁場が上記第２ブレード３３００の両側に各々装着された上記第２コイル部材３３５０に全て均一に伝導されて上記第２ブレード３３００の水平移動を円滑になされるようにする。
【００５５】
反対に、上記第２ブレード３３００の水平移動時に上記第１コイル部材３２５０と上記マグネット３５００と間の間隔がすべて均一に維持され、上記第１ブレード３２００の上下移動が円滑になされるようにする。
【産業上の利用可能性】
【００５６】
本発明の振れ補正機能を備えた映像撮影装置は、携帯端末機のような小型の電子機器に設置されて被写体の撮影時に振れが発生すればそれを補正する方向にレンズを移動させることによって、被写体の像を鮮明に撮影できるようにする。
【００５７】
本発明による振れ補正機能を備えた映像撮影装置は上述した実施例に限定されるものではなく、本発明の技術思想が許される範囲内で多様に変形実施可能なものである。
【図１】
0005711291.tif 000002
【図２】
0005711291.tif 000003
【図３】
0005711291.tif 000004
【図４】
0005711291.tif 000005
【図５】
0005711291.tif 000006
【図６】
0005711291.tif 000007
【図７】
0005711291.tif 000008